(57)【要約】【課題】ＢＤ−ＲＯＭのような高密度再生専用光ディスクのリードイン領域にＨＦＭグルーブと連関性を有するプリピット列形状でデータを記録すると共に、高密度再生専用光ディスクまたは高密度再記録可能光ディスクの全体領域に対して同じトラッキングサーボ動作を連続的に適用できるようにする装置と方法を提供する。【解決手段】記録媒体からデータを再生するための装置であって、ウォーブル形状に形成されたプリピットを有する第１領域と、直線状のプリピットを有する第２領域とを含む記録媒体上に記録されたデータを再生するためのピックアップと、前記ピックアップの光検出器から検出された信号同士の差として生成されるＰＰ信号と、前記ピックアップの光検出器から検出された信号同士の位相差として生成されるＤＰＤ信号のうち１つを使用して、前記第１領域および第２領域内で前記ピックアップのトラッキング動作を制御するためのサーボコントローラとを備えることを特徴とする装置【選択図】図８
2005310375.tif 000002
【特許請求の範囲】
【請求項１】
記録媒体からデータを再生するための装置であって、
ウォーブル形状に形成されたプリピットを有する第１領域と、直線状のプリピットを有する第２領域とを含む記録媒体上に記録されたデータを再生するためのピックアップと、
前記ピックアップの光検出器から検出された信号同士の差として生成されるプッシュプル（ＰＰ）信号、および前記ピックアップの光検出器から検出された信号同士の位相差として生成されるＤＰＤ（Ｄｉｆｆｅｒｅｎｔｉａｌ  Ｐｈａｓｅ  Ｄｅｔｅｃｔｉｏｎ）信号のうち１つを使用して、前記第１領域および第２領域内で前記ピックアップのトラッキング動作を制御するためのサーボコントローラとを備えることを特徴とする装置。
【請求項２】
前記記録媒体が、リードイン領域、データ領域、リードアウト領域を含み、前記リードインおよびリードアウト領域のいずれか又は双方が前記第１領域を含み、前記データ領域が前記第２領域に対応することを特徴とする請求項１に記載の装置。
【請求項３】
前記サーボコントローラが、前記リードイン領域、データ領域、リードアウト領域内で、前記ＤＰＤ信号を使用して前記トラッキング動作を制御することを特徴とする請求項２に記載の装置。
【請求項４】
前記記録媒体が再生専用タイプであり、前記サーボコントローラが、前記第１領域および第２領域内で、前記ＤＰＤ信号を使用して同じトラッキング動作を実施するように前記ピックアップを制御することを特徴とする請求項１に記載の装置。
【請求項５】
前記ウォーブル形状に形成されたプリピットを有する前記第１領域が、バイフェーズ変調に基づく高周波変調された（ＨＦＭ）グルーブ同様の記録パターンを形成し、前記サーボコントローラが、前記第１領域内で、前記ＤＰＤ信号を使用して前記トラッキング動作を実施するように前記ピックアップを制御することを特徴とする請求項１に記載の装置。
【請求項６】
記録媒体からデータを再生するための装置であって、
ウォーブル形状に形成されたプリピットを有する第１領域と、直線状のプリピットを有する第２領域とを含む記録媒体上に記録されたデータを再生するための光ピックアップと、
前記ピックアップの光検出器から検出された信号同士の位相差として生成されるＤＰＤ（Ｄｉｆｆｅｒｅｎｔｉａｌ  Ｐｈａｓｅ  Ｄｅｔｅｃｔｉｏｎ）信号を使用して、前記第１領内で前記ピックアップのトラッキング動作を制御するためのサーボコントローラとを備えることを特徴とする装置。
【請求項７】
前記記録媒体が再生専用タイプであり、前記サーボコントローラが、前記第１領域および第２領域内で、前記ＤＰＤ信号を使用して同じトラッキング動作を実施するように前記ピックアップを制御することを特徴とする請求項６に記載の装置。
【請求項８】
前記ウォーブル形状に形成されたプリピットを有する前記第１領域が、バイフェーズ変調に基づく高周波変調された（ＨＦＭ）グルーブ同様の記録パターンを形成し、前記サーボコントローラが、少なくとも第１領域内で、前記ＤＰＤ信号を使用して前記トラッキング動作を実施するように前記ピックアップを制御することを特徴とする請求項６に記載の装置。
【請求項９】
記録媒体からデータを再生するための方法であって、
前記記録媒体の、ウォーブル形状に形成されたプリピットを有する第１領域と、直線状のプリピットを有する第２領域とに記録されたデータを読み取るために、ピックアップの光検出器から受け取られる信号からプッシュプル（ＰＰ）信号またはＤＰＤ（Ｄｉｆｆｅｒｅｎｔｉａｌ  Ｐｈａｓｅ  Ｄｅｔｅｃｔｉｏｎ）信号を生成するステップと、
前記ＰＰ信号と前記ＤＰＤ信号のうち少なくとも１つに基づいて、前記第１領域および第２領域内でトラッキング動作を実施するステップとを含むことを特徴とする方法。
【請求項１０】
前記ＰＰ信号が、前記ピックアップの光検出器から検出された信号同士の差として生成され、前記ＤＰＤ信号が、前記ピックアップの光検出器から検出された信号同士の位相差として生成されることを特徴とする請求項９に記載の方法。
【請求項１１】
前記記録媒体が、リードイン領域、データ領域、リードアウト領域を含み、前記リードインおよびリードアウト領域のいずれか又は双方が前記第１領域を含み、前記データ領域が前記第２領域に対応することを特徴とする請求項９に記載の方法。
【請求項１２】
前記実施するステップが、前記リードイン領域、データ領域、リードアウト領域内で、前記ＤＰＤ信号を使用して前記トラッキング動作を実施することを特徴とする請求項１１に記載の方法。
【請求項１３】
前記記録媒体が再生専用タイプであり、前記実施するステップが、前記第１領域および第２領域内で、前記ＤＰＤ信号を使用して同じトラッキング動作を実施することを特徴とする請求項９に記載の方法。
【請求項１４】
前記ウォーブル形状に形成されたプリピットを有する前記第１領域が、バイフェーズ変調に基づく高周波変調された（ＨＦＭ）グルーブ同様の記録パターンを形成し、前記実施するステップが、前記第１領域内で、前記ＤＰＤ信号を使用して前記トラッキング動作を実施することを特徴とする請求項９に記載の方法。
【請求項１５】
記録媒体からデータを再生するための装置において、
記録媒体から反射された光を受け取り、複数の電気信号を出力するための光電変換ユニットであって、前記記録媒体が、リードイン領域、データ領域、リードアウト領域を含み、前記リードインおよびリードアウト領域のいずれか又は双方が、ウォーブル形状に形成されたプリピット内で形成された第１領域を有し、前記ウォーブル形状に形成されたプリピットが、バイフェーズ変調に基づく高周波変調された（ＨＦＭ）グルーブ同様のパターンを有し、前記データ領域が、直線状のプリピットを有する、光電変換ユニットと、
前記出力された電気信号を加算および減算することによってプッシュプル（ＰＰ）トラッキング信号を生成するための第１ジェネレータと、
前記出力された電気信号の位相を比較することによってＤＰＤ（Ｄｉｆｆｅｒｅｎｔｉａｌ  Ｐｈａｓｅ  Ｄｅｔｅｃｔｉｏｎ）トラッキング信号を生成するための第２ジェネレータと、
リードインおよびリードアウト領域のいずれか又は双方の前記第１領域、および直線状のプリピットを有するデータ領域上で、前記第１および第２ジェネレータから生成されたトラッキングエラー信号の１つを使用して、トラッキング動作を制御するためのコントローラとを備えることを特徴とする装置。
【請求項１６】
前記記録媒体が再生専用タイプであることを特徴とする請求項１５に記載の装置。
【請求項１７】
前記記録媒体がＢＤ（Ｂｌｕ−ｒａｙ  Ｄｉｓｃ）−ＲＯＭであることを特徴とする請求項１６に記載の装置。
【請求項１８】
記録媒体からデータを再生する、または記録媒体上にデータを記録するための装置であって、
記録媒体から反射された光を受け取り、複数の電気信号を出力するための光電変換ユニットと、
前記出力された電気信号を加算および減算することによってプッシュプル（ＰＰ）トラッキング信号を生成するための第１ジェネレータと、
前記出力された電気信号の位相を比較することによってＤＰＤ（Ｄｉｆｆｅｒｅｎｔｉａｌ  Ｐｈａｓｅ  Ｄｅｔｅｃｔｉｏｎ）トラッキング信号を生成するための第２ジェネレータと、
前記記録媒体のタイプに従って、前記第１および第２ジェネレータから生成されたトラッキングエラー信号の１つを使用して、トラッキング動作を制御するためのコントローラとを備え、
記録媒体の前記タイプが、再生専用タイプと再記録可能タイプを含み、前記再生専用タイプが、リードイン領域、データ領域、リードアウト領域を含み、前記リードインおよびリードアウト領域のいずれか又は双方が、ウォーブル形状に形成されたプリピット内で形成された第１領域を有し、前記ウォーブル形状に形成されたプリピットが、バイフェーズ変調に基づくＨＦＭ（高周波変調）グルーブ同様のパターンを有し、前記データ領域が、直線状のプリピットを有し、前記再記録可能タイプが、リードイン領域、データ領域、リードアウト領域を含み、前記リードインおよびリードアウト領域のいずれか又は双方が、バイフェーズ変調に基づく高周波変調された（ＨＦＭ）グルーブ内で形成された第１領域を有し、前記データ領域が、ウォーブル形状に形成されたグルーブによって形成されることを特徴とする装置。
【請求項１９】
前記コントローラが、記録媒体の前記タイプが再生専用タイプである場合、ＤＰＤトラッキング信号を使用して前記トラッキング動作を制御し、記録媒体の前記タイプが再記録可能タイプである場合、プッシュプル（ＰＰ）トラッキング信号を使用して前記トラッキング動作を制御することを特徴とする請求項１８に記載の装置。
【請求項２０】
前記再生専用タイプがＢＤ（Ｂｌｕ−ｒａｙ  ｄｉｓｃ）−ＲＯＭであり、再記録可能タイプがＢＤ（Ｂｌｕ−ｒａｙ  ｄｉｓｃ）再記録可能であることを特徴とする請求項１８に記載の装置。
【請求項２１】
前記コントローラが、記録媒体の前記タイプがＢＤ（Ｂｌｕ−ｒａｙ  ｄｉｓｃ）−ＲＯＭである場合、ＤＰＤトラッキング信号を使用して前記トラッキング動作を制御し、記録媒体の前記タイプがＢＤ（Ｂｌｕ−ｒａｙ  ｄｉｓｃ）再記録可能である場合、プッシュプル（ＰＰ）トラッキング信号を使用して前記トラッキング動作を制御することを特徴とする請求項２０に記載の装置。
【請求項２２】
記録媒体からデータを再生する、または記録媒体上にデータを記録するための方法において、
再生専用タイプと再記録可能タイプを含む光記録媒体のタイプを識別するステップであって、前記再生専用タイプが、リードイン領域、データ領域、リードアウト領域を含み、前記リードインおよびリードアウト領域のいずれか又は双方が、ウォーブル形状に形成されたプリピット内で形成された第１領域を有し、前記ウォーブル形状に形成されたプリピットが、バイフェーズ変調に基づく高周波変調された（ＨＦＭ）グルーブ同様のパターンを有し、前記データ領域が、直線状のプリピットを有し、前記再記録可能タイプが、リードイン領域、データ領域、リードアウト領域を含み、前記リードインおよびリードアウト領域のいずれか又は双方が、バイフェーズ変調に基づくＨＦＭ（高周波変調）グルーブ内で形成された第１領域を有し、前記データ領域が、ウォーブル形状に形成されたグルーブによって形成されるステップと、
出力された電気信号を加算および減算することによって生成されたプッシュプル（ＰＰ）トラッキング信号、および出力された電気信号の位相を比較することによって生成されたＤＰＤ（Ｄｉｆｆｅｒｅｎｔｉａｌ  Ｐｈａｓｅ  Ｄｅｔｅｃｔｉｏｎ）トラッキング信号のうちの１つであるトラッキングエラー信号の１つを、前記識別された記録媒体に基づいて選択するステップとを含むことを特徴とする方法。
【請求項２３】
前記選択するステップが、記録媒体の前記タイプが再生専用タイプである場合、ＤＰＤトラッキング信号を選択し、記録媒体の前記タイプが再記録可能タイプである場合、ＰＰトラッキング信号を選択することを特徴とする請求項２２に記載の方法。
【請求項２４】
前記再生専用タイプがＢＤ（Ｂｌｕ−ｒａｙ  ｄｉｓｃ）−ＲＯＭであり、再記録可能タイプがＢＤ（Ｂｌｕ−ｒａｙ  ｄｉｓｃ）再記録可能であることを特徴とする請求項２２に記載の方法。
【請求項２５】
前記選択するステップが、記録媒体の前記タイプがＢＤ（Ｂｌｕ−ｒａｙ  ｄｉｓｃ）−ＲＯＭである場合、ＤＰＤトラッキング信号を選択し、記録媒体の前記タイプがＢＤ（Ｂｌｕ−ｒａｙ  ｄｉｓｃ）再記録可能である場合、ＰＰトラッキング信号を選択することを特徴とする請求項２４に記載の装置。
【請求項２６】
前記選択するステップが、前記選択されたトラッキングエラー信号に対応するトラッキングサーボ動作を同じ記録媒体の領域全体に連続的に適用することを可能にすることによって実施されることを特徴とする請求項２２に記載の方法。
【請求項２７】
記録媒体からデータを再生する、または記録媒体上にデータを記録する方法において、
再生専用タイプと再記録可能タイプを含む光記録媒体のタイプを識別するステップであって、前記再生専用タイプが、リードイン領域、データ領域、リードアウト領域を含み、前記リードインおよびリードアウト領域のいずれか又は双方が、ウォーブル形状に形成されたプリピット内で形成された第１領域を有し、前記ウォーブル形状に形成されたプリピットが、バイフェーズ変調に基づく高周波変調された（ＨＦＭ）グルーブ同様のパターンを有し、前記データ領域が、直線状のプリピットを有し、前記再記録可能タイプが、リードイン領域、データ領域、リードアウト領域を含み、前記リードインおよびリードアウト領域のいずれか又は双方が、バイフェーズ変調に基づくＨＦＭグルーブ内で形成された第１領域を有し、前記データ領域が、ウォーブル形状に形成されたグルーブによって形成されるステップと、
出力された電気信号を加算および減算することによって生成されたプッシュプル（ＰＰ）トラッキング信号、および出力された電気信号の位相を比較することによって生成されたＤＰＤ（Ｄｉｆｆｅｒｅｎｔｉａｌ  Ｐｈａｓｅ  Ｄｅｔｅｃｔｉｏｎ）トラッキング信号のうちの１つであるトラッキングエラー信号の１つを使用して、識別された光記録媒体に基づいてトラッキング動作を制御するステップとを含むことを特徴とする方法。
【請求項２８】
前記制御するステップが、記録媒体の前記タイプが再生専用タイプである場合、ＤＰＤトラッキング信号を使用して前記トラッキング動作を制御し、記録媒体の前記タイプが再記録可能タイプである場合、ＰＰトラッキング信号を使用して前記トラッキング動作を制御することを特徴とする請求項２７に記載の方法。
【請求項２９】
前記再生専用タイプがＢＤ（Ｂｌｕ−ｒａｙ  ｄｉｓｃ）−ＲＯＭであり、再記録可能タイプがＢＤ（Ｂｌｕ−ｒａｙ  ｄｉｓｃ）再記録可能であることを特徴とする請求項２７に記載の方法。
【請求項３０】
前記制御するステップが、記録媒体の前記タイプがＢＤ（Ｂｌｕ−ｒａｙ  ｄｉｓｃ）−ＲＯＭである場合、ＤＰＤトラッキング信号を使用して前記トラッキング動作を制御し、記録媒体の前記タイプがＢＤ（Ｂｌｕ−ｒａｙ  ｄｉｓｃ）再記録可能である場合、ＰＰトラッキング信号を使用して前記トラッキング動作を制御することを特徴とする請求項２９に記載の装置。
【請求項３１】
前記制御するステップが、同じ記録媒体の領域全体に連続的に適用されるように、前記１つのトラッキングエラー信号に対応する前記トラッキング動作を制御することを特徴とする請求項２７に記載の方法。
【発明の詳細な説明】
【技術分野】
【０００１】
本発明は高容量のビデオ及びオーディオデータが記録される高密度再生専用光ディスクとそれによる光ディスク装置及び方法に関する。
【背景技術】
【０００２】
最近には長時間の高画質ビデオデータと高音質オーディオデータを記録できる新しい高密度再記録可能光ディスク、例えばＢＤ−ＲＥ（Ｂｌｕ−ｒａｙ  Ｄｉｓｃ  Ｒｅｗｒｉｔａｂｌｅ）に対する規格化作業が急速に展開して、関連した製品がまもなく商用化されるものと期待されている。
【０００３】
図１に示したように、ＢＤ−ＲＥのディスク構造は内周面、中間面、外周面に分けられている。内周面にはクランピング領域、トランジション領域、ＢＣＡ（Ｂｕｒｓｔ  Ｃｕｔｔｉｎｇ  Ａｒｅａ）領域、リードイン領域が図の順序通りに存在し、中周面と外周面にはデータ領域とリードアウト領域がそれぞれ存在する。
【０００４】
リードイン領域は、第１ガード（Ｇｕａｒｄ  １）領域とＰＩＣ（Ｐｅｒｍａｎｅｎｔ  Ｉｎｆｏｒｍａｔｉｏｎ  ＆  Ｃｏｎｔｒｏｌ  ｄａｔａ）領域、第２ガード（Ｇｕａｒｄ  ２）領域、情報２（Ｉｎｆｏ  ２）領域、ＯＰＣ（Ｏｐｔｉｍｕｍ  Ｐｏｗｅｒ  Ｃｏｎｔｒｏｌ）領域などに区分されている。第１ガード領域とＰＩＣ領域は事前にデータがあらかじめ記録されている領域であり、その残りのリードイン領域、データ領域、リードアウト領域は新しいデータが再記録される領域である。
【０００５】
ＰＩＣ領域は、永久的に保存されるべきディスク情報が格納される領域であって、そのディスク情報はユーザーデータを記録するために必要な、又はデータ領域から再生するために必要な基礎的なデータである。そのＰＩＶ領域には、高周波変調（ＨＦＭ：Ｈｉｇｈ  Ｆｒｅｑｕｅｎｃｙ  Ｍｏｄｕｌａｔｅｄ）グルーブが形成される。
【０００６】
ＨＦＭグルーブは、図２に示したように、バイフェーズ変調（Ｂｉ−ｐｈａｓｅ  ｍｏｄｕｌａｔｉｏｎ）方式により変調されたディスク情報を格納する。例えば、‘３６Ｔ’の記録区間の間同一の位相のＨＦＭグルーブが記録されている場合その値は‘０’で、‘３６Ｔ’の記録区間の間に相異なる位相のＨＦＭグルーブが記録されている場合にはその値が‘１’になる。
【０００７】
一方、前記のようにＰＩＣ領域に記録されたＨＦＭグルーブを追跡するためのトラッキングサーボは広く知られたプッシュプル（Ｐｕｓｈ／Ｐｕｌｌ）方式を用いている。このために光ディスク装置は、図３に示したように、対物レンズ１０及びコリーメートレンズ１１を介して受光される光を電気信号Ｅａ、Ｅｂに変換するための２分割受光素子１２と、２分割受光素子を介してそれぞれ光電変換された電気信号Ｅａ、Ｅｂを差動増幅してトラッキングエラー信号ＴＥ＝Ｅａ−Ｅｂを出力するための差動増幅器１３を含んでいる。
【０００８】
したがって、光ディスク装置は、トラッキングエラー信号ＴＥ＝Ｅａ−Ｅｂを参照して、ＨＦＭグルーブに対するトラッキングサーボ動作を実施し、、またデータ領域とリードアウト領域に形成されるウォーブル形状のグルーブに対しても、トラッキングエラー信号ＴＥ＝Ｅａ−Ｅｂを参照して、ウォーブル形状のグルーブに対するトラッキングサーボ動作を実施している。。
【０００９】
一方、前記したＢＤ−ＲＥと対照的に、ＢＤ−ＲＯＭ（Ｂｌｕ−ｒａｙ  Ｄｉｓｃ   Ｒｅａｄ  Ｏｎｌｙ  Ｍｅｍｏｒｙ）は高密度再生専用光ディスクである。ＢＤ−ＲＯＭのディスク構造は、図４に示したように、内周面、中間面、外周面に分けられ、内周面にはクランピング領域とリードイン領域が存在し、中周面と外周面にはデータ領域とリードアウト領域がそれぞれ存在する。リードイン領域には、ＢＤ−ＲＥでのようにＨＦＭグルーブ方式でディスク情報が記録され、またデータ領域とリードアウト領域には、通常のＣＤ−ＲＯＭまたはＤＶＤ−ＲＯＭのようにプリピット列（Ｐｒｅ−ｐｉｔ  ｓｔｒｉｎｇｓ）のデータが記録される。
【００１０】
しかし、ＢＤ−ＲＥのようにＢＤ−ＲＯＭのリードイン領域にディスク情報がＨＦＭ方式で記録されるならば、ＨＦＭグルーブに対してプッシュプル方式のトラッキングサーボが必要になり、また、データ領域やリードアウト領域に記録されたプリピット列に対するＤＰＤ（Ｄｉｆｆｅｒｅｎｔｉａｌ  Ｐｈａｓｅ  Ｄｅｔｅｃｔｉｏｎ）方式のトラッキングサーボも同時に必要になる。
【００１１】
また、リードイン領域にＨＦＭグルーブだけが形成されてプリピットデータが記録されていない場合、ＲＦ信号を利用したＰＬＬ（Ｐｈａｓｅ  Ｌｏｃｋｅｄ  Ｌｏｏｐ）動作を実行することができなくなって、リードイン領域とデータ領域間の連結再生を行うことができなくなるという問題が発生する。
【００１２】
図５は一般的な光ディスク装置に適用されるＤＰＤ方式のトラッキングサーボに対する構成を示したものである。
【００１３】
図５に示したように、光ディスク装置は、対物レンズ２０及びコリーメートレンズ２１を介して受光される光を電気信号に変換するための４分割受光素子２２、４分割受光素子を介してそれぞれ光電変換された電気信号Ｅａ、Ｅｂ、Ｅｃ、Ｅｄの位相を検出するための複数の位相検出器２６、２６、２７、２９、位相検出器から出力される電気信号ＥｂとＥｄ及びＥａとＥｃを合算増幅してそれぞれＥｂ＋ＥｄとＥｃ＋Ｅａとして出力するための合算増幅器２３、２４、その合算されたＥｂ＋ＥｄとＥｃ＋Ｅａを差動増幅してトラッキングエラー信号（ＴＥ＝（（Ｅａ＋Ｅｃ）−（Ｅｂ＋Ｅｄ））で出力する差動増幅器２５を含んでいる。
【００１４】
光ディスク装置内に挿入された同じＢＤ−ＲＯＭに対して、異なるトラッキングサーボ動作、すなわちプッシュプル方式のトラッキングサーボ動作とＤＰＤ方式のトラッキングサーボ動作がそれぞれ行わなければならない。したがって、従来の光ディスク装置は異なるトラッキングサーボ制御のための複雑なアルゴリズムが必要になり、その上このような２トラッキングサーボシステムを収容するために装置が大型化されるという問題が発生していた。
【発明の開示】
【発明が解決しようとする課題】
【００１５】
本発明は前記のような問題点を解決するために創作されたものであって、本発明の目的は、ＢＤ−ＲＯＭのような高密度再生専用光ディスクのリードイン領域にＨＦＭグルーブと連関性を有するプリピット列形状でデータを記録すると共に、高密度再生専用光ディスクまたは高密度再記録可能光ディスクの全体領域に対して同じトラッキングサーボ動作を連続的に適用できるようにする装置と方法を提供することである。
【課題を解決するための手段】
【００１６】
本発明は、記録媒体からデータを再生するための装置であって、ウォーブル形状に形成されたプリピットを有する第１領域と、直線状のプリピットを有する第２領域とを含む記録媒体上に記録されたデータを再生するためのピックアップと、前記ピックアップの光検出器から検出された信号同士の差として生成されるプッシュプル（ＰＰ）信号、および前記ピックアップの光検出器から検出された信号同士の位相差として生成されるＤＰＤ（Ｄｉｆｆｅｒｅｎｔｉａｌ  Ｐｈａｓｅ  Ｄｅｔｅｃｔｉｏｎ）信号のうち１つを使用して、前記第１領域および第２領域内で前記ピックアップのトラッキング動作を制御するためのサーボコントローラとを備えることを特徴とする装置である。
【００１７】
又、本発明による高密度再生専用光ディスクは、プリピット列のデータが記録されたリードイン領域、データ領域、リードアウト領域を含み、リードイン領域は、所定の記録区間内の同一トラック線上に連続的に形成されたプリピット列を含むか、または所定の記録区間の同一トラック線内の他の位置に不連続的に形成されたプリピット列を含むことを特徴とする。
【００１８】
本発明の他の実施態様による高密度光ディスク装置は、光ディスクから反射される光を受けて複数の電気信号として出力する光電変換手段と；出力された電気信号を合算及び差動増幅して、プッシュプル方式のトラッキングエラー信号を検出する第１検出手段と；異なる位相を有する電気信号を合算及び差動増幅して、ＤＰＤ方式のトラッキングエラー信号を検出する第２検出手段と；光ディスクの類型によって、第１検出手段と第２検出手段により検出されるプッシュプル方式のトラッキングエラー信号とＤＰＤ方式のトラッキングエラー信号のうち一つを選択的に出力する出力手段とを含むことを特徴とする。
【００１９】
本発明のまた他の実施態様による光ディスクを再生する方法は、光ディスクから反射される光を複数の電気信号に変換する段階と；変換された電気信号を合算及び差動増幅して、プッシュプル方式のトラッキングエラー信号とＤＰＤ方式のトラッキングエラー信号を検出する段階と；光ディスクの類型によってプッシュプル方式のトラッキングエラー信号とＤＰＤ方式のトラッキングエラー信号のうちいずれか一つを選択して、選択されたトラッキングエラー信号に対応するトラッキングサーボ動作を実施する段階とを含むことを特徴とする。
【００２０】
本発明のさらに他の実施態様による高密度再生専用光ディスクは、リードイン領域、データ領域、リードアウト領域を含み、リードイン領域はバイフェーズ変調を基礎にする高周波変調（ＨＦＭ）グルーブの記録パターンを有するピット列が形成された特定領域を含んでおり、その特定領域はバイフェーズ変調を基礎にするＨＦＭグルーブの同一レベル記録区間に反復形成されたスペースとマークまたはマークとスペースを奇数個有することを特徴とする。
【００２１】
本発明のさらに他の実施態様による高密度再生専用光ディスクは、リードイン領域、データ領域、リードアウト領域を含み、リードイン領域はバイフェーズ変調を基礎にする高周波変調（ＨＦＭ）グルーブの記録パターンを有するマークとスペースまたはスペースとマークのピット列が形成された特定領域を含んでおり、バイフェーズ変調を基礎にするＨＦＭグルーブはスペースの中央を基準にして形成されたレベル遷移点を有することを特徴とする。
【発明を実施するための最良の形態】
【００２２】
以下、本発明による高密度再生専用光ディスクとそれによる光ディスク装置及び方法に対する望ましい実施形態に対して、添付した図面を参照しながら詳細に説明する。
【００２３】
図６は本発明の一実施形態による高密度再生専用光ディスク（ＢＤ−ＲＯＭ）の構造を示したものである。
【００２４】
図６のＢＤ−ＲＯＭは、図４を参照しながら前述したように内周面、中間面及び外周面を有する構造であって、内周面にはクランピング領域とリードイン領域が含まれ、中間面と外周面にはデータ領域とリードアウト領域がそれぞれ含まれる。データ領域とリードアウト領域には、通常のＣＤ−ＲＯＭまたはＤＶＤ−ＲＯＭのように、プリピット列のデータが記録される。
【００２５】
しかし、通常の再生専用光ディスクとは異なり、リードイン領域には、ＢＤ−ＲＥのリードイン領域のうちＰＩＣ領域内に事前に形成されるＨＦＭグルーブと同様に、プリピット列のデータが記録される。すなわち、データ領域とリードアウト領域のプリピット領域にデータが記録されるのと同じ方式で、ＢＤ−ＲＯＭのリードイン領域にプリピット列形状でデータが記録される。
【００２６】
プリピット列のデータを再生するための光ディスク装置は、装置内に挿入されたＢＤ−ＲＯＭの全体領域に対してＤＰＤ方式のトラッキングサーボ制御動作を適用させることができる。簡単にいえば、同一のトラッキングサーボ方法をリードイン領域、データ領域、リードアウト領域それぞれに使用することができる。
【００２７】
図７は本発明による高密度再生専用光ディスク（ＢＤ−ＲＯＭ）のリードイン領域に形成されるプリピット列の形状を示したものである。図７に示したように、リードイン領域に形成されるプリピット列のパターンにおいて、プリピット列を所定記録区間内の同一トラック線上に連続的に形成させたり、またはプリピット列を同一トラック内で異なる位置に不連続的に形成させることもできる。
【００２８】
例えば、‘０１０１’の値を有するデータシーケンスをリードイン領域に記録する。各ビットセルの長さは３６Ｔである。ここでＴはチャネルビットの長さに該当する。６個の３Ｔプリピット列が同一トラック線上に連続的に形成される３６Ｔの記録区間は‘０’の値で、３個の３Ｔプリピットを有する２本の列がそれぞれ同一トラック内で異なる位置に形成される３６Ｔの記録区間は‘１’の値を有である。前記のようにプリピット列を形成することによって、ＨＦＭグルーブ方式と同様に、ディスク情報を記録することができる。
【００２９】
リードイン領域に連続または不連続に形成されたプリピット列により反射される反射光は、通常のＤＰＤ方式のトラッキングサーボに適用される４分割受光素子（図示せず）により光電変換されるが、この時光電変換された電気信号Ｅａ、Ｅｂ、Ｅｃ、Ｅｄは、複数の位相検出器３３、３４、３５、３６、第１及び第２合算増幅器３０、３１、差動増幅器３２を経て、ＤＰＤ方式のトラッキングエラー信号ＴＥ＝（Ｅａ＋Ｅｃ）−（Ｅｂ＋Ｅｄ）が出力される。
【００３０】
したがって、プリピット列に対するＤＰＤ方式のトラッキングサーボ動作がリードイン領域に適用することができる。‘０１０１’で記録されたデータシーケンスは対応する周波数に合せてＤＰＤ信号をフィルターリングして検出及びデコードできる。したがって、光ディスク装置では、ＤＰＤ方式のトラッキングサーボ動作のみを連続的に行ってＢＤ−ＲＯＭ全体領域に対するトラッキングサーボ動作を正常に実施することができる。また、ＨＦＭ方式のようにプリピット列を介してディスク情報を記録することができ、リードイン領域から他の領域に同一のＰＬＬ動作を実行させることができる。
【００３１】
リードイン領域に同じ長さのピットを形成させたり、または例えば２種類または３種類の異なる長さのピットを形成させてもよい。
【００３２】
また、ピット列の固有のパターンまたは形状で他の情報を表現することができる。小さなプッシュプル信号を検出するように、ピットの深さを‘λ／４’より深かいかまたは浅く形成することもできる。例えば、ＢＤ−ＲＯＭの場合にピットの深さを‘３λ／4’にし、ＢＤ−ＲＥの場合にリードイン領域のピットの深さとデータ領域のピットの深さをそれぞれ‘λ／８’と‘λ／４’に異なるように形成することもできる。
【００３３】
そして、プリピット列はデータ領域で用いた変調コードを用いる。変調コードは‘２Ｔ’、‘３Ｔ’またはそれ以上の長さで構成されたグループからいずれか一つを選択してまたは複数を組み合わせて用いることもでき、また各ピットには他のデータをさらに記録することもできる。
【００３４】
図８は本発明による光ディスク装置及び方法に適用されるプッシュプル方式及びＤＰＤ方式のトラッキングサーボに対する構成を示したものである。本発明による光ディスク装置では、装置内にＢＤ−ＲＥまたはＢＤ−ＲＯＭが挿入されると、挿入された光ディスクに対応するトラッキングサーボ動作を選択的に行うことができる。
【００３５】
そのために、光ディスク装置には、対物レンズ５０、コリーメートレンズ５１、４分割受光素子５２、複数の合算増幅器５３、５４、６３、６４、差動増幅器５５、６５、選択スイッチ５６が含まれているが、これに対して詳細に説明すると次の通りである。
【００３６】
光ディスク装置内にＢＤ−ＲＥまたはＢＤ−ＲＯＭが挿入されると、対物レンズ５０とコリーメートレンズ５１を介して受光される反射光は４分割受光素子５２により電気信号Ｅａ、Ｅｂ、Ｅｃ、Ｅｄに光電変換される。ＲＯＭディスクである場合、電気信号Ｅａ、Ｅｂ、Ｅｃ、Ｅｄは第１及び第２合算増幅器５３、５４と第１差動増幅器５５によりＤＰＤ方式のトラッキングエラー信号ＴＥ_ＤＰＤ＝（Ｅａ＋Ｅｃ）−（Ｅｂ＋Ｅｄ）として検出されて出力される。
【００３７】
ＢＤ−ＲＥディスクの場合、４分割受光素子５２により出力される電気信号Ｅａ、Ｅｂ、Ｅｃ、Ｅｄは第３及び第４合算増幅器６３、６４と第２差動増幅器６５によりプッシュプル方式のトラッキングエラー信号ＴＥ_Ｐ／Ｐ＝（Ｅａ＋Ｅｂ）−（Ｅｃ＋Ｅｄ）として検出されて出力される。
【００３８】
光ディスク装置内に具備されたマイコン（図示せず）またはサーボコントローラ（図示せず）は、装置内に挿入された光ディスクがＢＤ−ＲＯＭである場合、選択スイッチ５６の動作を制御して、第１差動増幅器５５から検出されるＤＰＤ方式のトラッキングエラー信号ＴＥ_ＤＰＤを選択的に出力し、装置内に挿入された光ディスクがＢＤ−ＲＥである場合、選択スイッチ５６の動作を制御して、第２差動増幅器６５から検出されるプッシュプル方式のトラッキングエラー信号ＴＥ_Ｐ／Ｐを選択的に出力する。
【００３９】
言い換えると、ＢＤ−ＲＥの場合プッシュプル方式のトラッキングサーボ動作が選択的に遂行されて、ＢＤ−ＲＯＭの場合ＤＰＤ方式のトラッキングサーボ動作が選択的に遂行される。
【００４０】
参考として、ＢＤ−ＲＯＭ専用再生光ディスク装置が開発され市場に発表される場合には、前述したＤＰＤ方式のトラッキングサーボ動作だけを使用することができる。
【００４１】
図９ないし図１１を参照しながら本発明の他の実施形態を説明する。
ＢＤ−ＲＯＭのリードイン領域のうちＰＩＣ領域に永久に記録されるディスクの主要情報をより正確にデコードするためには、プッシュプル信号がＰＩＣ領域に反復記録されたウォーブル形状のスペースとマークまたはマークとスペースで連続的に検出されなければならない。
【００４２】
本発明によるＢＤ−ＲＯＭのＰＩＣ領域には、ディスクの主要情報がバイフェーズ変調を基礎にする高周波変調グルーブ（ＨＦＭ  ｇｒｏｏｖｅ）の記録パターンを有するピット列として形成される。
【００４３】
また、‘３６Ｔ’の記録区間内に同一位相のＨＦＭグルーブが形成されている場合その値は‘０’で、‘３６Ｔ’の記録区間内に異なる位相のＨＦＭグルーブが形成されている場合その値は‘１’である。この時同一レベル区間内には、スペースとマークまたはマークとスペースの合計が奇数（２ｎ＋１）個だけ反復記録される。
【００４４】
例えば、図９に示したように、データ値‘１’（Ｄａｔａ  １）に該当する‘３６Ｔ’記録区間で、ハイレベルの‘１８Ｔ’記録区間には６Ｔ長さのスペース６Ｔｓ、マーク６Ｔｍ、スペース６Ｔｓが次々と記録される一方、ローレベルの‘１８Ｔ’記録区間には６Ｔ長さのマーク６Ｔｍ、スペース６Ｔｓ、マーク６Ｔｍが次々と記録される。
【００４５】
すなわち、所定長さを有するスペースとマークの‘スペース、マーク、スペース’または‘マーク、スペース、マーク’の組合せが‘１８Ｔ’記録区間に形成されるが、この時ハイレベルまたはローレベルの記録区間内に反復形成されるスペースとマークの合計は３個、すなわち奇数個になり、またスペースまたはマークは該記録区間の開始部分と終了部分に形成される。
【００４６】
また、データ値‘０’（Ｄａｔａ  ０）に該当するハイレベルの‘３６Ｔ’記録区間には４Ｔ長さのスペース４Ｔｓとマーク４Ｔｍが次々と反復記録され、またデータ値‘０’（Ｄａｔａ  ０）に該当するローレベルの‘３６Ｔ’記録区間にも４Ｔ長さのマーク４Ｔｍとスペース４Ｔｓが次々と反復記録される。
【００４７】
すなわち、所定長さを有するスペースとマークの‘スペース、マーク’または‘マーク、スペース’の組合せが各‘３６Ｔ’記録区間に次々と反復形成されるが、この時ハイレベルまたはローレベルの記録区間内に反復形成されるスペースとマークの合計は９個、すなわち奇数個になり、またスペースまたはマークは該記録区間の開始部分と終了部分に形成される。
【００４８】
一方、バイフェーズ変調を基礎にするＨＦＭグルーブのローレベル遷移点の左右にはスペースとマークがそれぞれ形成されて、ハイレベル遷移点の左右にはマークとスペースがそれぞれ形成される。
【００４９】
例えば、図９に示したように、データ値‘１’（Ｄａｔａ  １）に該当する‘３６Ｔ’記録区間で、ハイレベルの‘１８Ｔ’記録区間からローレベルの‘１８Ｔ’記録区間へのレベル遷移点の左右には６Ｔ長さのスペース６Ｔｓとマーク６Ｔｍがそれぞれ形成される。また、データ値‘１’（Ｄａｔａ  １）に該当する‘３６Ｔ’記録区間のうちローレベルの‘１８Ｔ’記録区間からデータ値‘０’（Ｄａｔａ  ０）に該当するハイレベルの‘３６Ｔ’記録区間へのレベル遷移点の左右には６Ｔ長さのマーク６Ｔｍと４Ｔ長さのスペース４Ｔｓがそれぞれ形成される。
【００５０】
そして、ハイレベルの‘３６Ｔ’記録区間からローレベルの‘３６Ｔ’記録区間へのレベル遷移点の左右には４Ｔ長さのスペース４Ｔｓと４Ｔ長さのマーク４Ｔｍがそれぞれ形成される。したがって、レベル遷移点で検出されるプッシュプル信号が切断されるのを最小にすることができる。
【００５１】
一方、図１０に示したように、データ値‘１’（Ｄａｔａ  １）に該当する‘３６Ｔ’記録区間で、ハイレベルの‘１８Ｔ’記録区間からローレベルの‘１８Ｔ’記録区間へのレベル遷移点の左右には６Ｔ長さのマーク６Ｔｍとスペース６Ｔｓがそれぞれ形成され、データ値‘１’（Ｄａｔａ  １）に該当する‘３６Ｔ’記録区間のうちローレベルの‘１８Ｔ’記録区間からデータ値‘０’（Ｄａｔａ  ０）に該当するハイレベルの‘３６Ｔ’記録区間へのレベル遷移点の左右には６Ｔ長さのスペース６Ｔｓと４Ｔ長さのマーク４Ｔｍがそれぞれ形成される場合には、レベル遷移点で検出されるプッシュプル信号に切断現象が発生して正確なデコード動作が行われなくなる。
【００５２】
前記のようなウォーブル形状のスペースとマークから検出されるプッシュプル信号を一般的なプリピットデータから検出されるＲＦ信号と区分して正確に検出するためには、プッシュプル信号の周波数が一般データ信号の周波数から遠く離れていることが有利であるので、スペースまたはマークのピット長さを可能な限り短く、例えば‘２Ｔ’、‘３Ｔ’、または他の長さにすることが望ましい。
【００５３】
また、トラッキングサーボの正確性のために、バイフェーズ変調を基礎にするＨＦＭグルーブの同一レベル区間内に形成されるスペースまたはマークのピット長さに対するデジタル合計成分（ＤＳＶ：Ｄｉｇｉｔａｌ  Ｓｕｍ  Ｖａｌｕｅ）を零または最小値になるように設定することが望ましい。
【００５４】
例えば、図１１に示したように、データ値‘１’（Ｄａｔａ  １）に該当するハイレベルの‘１８Ｔ’記録区間にそれぞれ６Ｔ長さを有するスペース６Ｔｓ、マーク６Ｔｍ、スペース６Ｔｓが次々と形成される場合、デジタル合計成分ＤＳＶは通常のＤＳＶ算出式に基づいて‘＋６’になるが、‘１８Ｔ’記録区間に２Ｔまたは３Ｔ長さのスペース２Ｔｓ、３Ｔｓと２Ｔまたは３Ｔ長さのマーク２Ｔｍ、３Ｔｍの組合せが形成される場合には、デジタル合計成分ＤＳＶが‘＋２’になるので、トラッキングサーボ動作をさらに適合させることができる。
【００５５】
そして、同一レベル区間の最終部分には、デジタル合計成分ＤＳＶが零になるか最小化される条件を満足するスペースとマークのうちで相対的に最も長いピット長さのスペースまたはマークが形成されることが望ましい。
【００５６】
例えば、データ値‘０’（Ｄａｔａ  ０）に該当するハイレベルの‘３６Ｔ’記録区間には、３Ｔ長さのスペース３Ｔｓまたはマーク３Ｔｍを１０個、そして２Ｔ長さのスペース２Ｔｓまたはマーク２Ｔｍを３個記録することができる。第１実施形態で２Ｔｓ、３Ｔｍ、３Ｔｓ、３Ｔｍ、３Ｔｓ、３Ｔｍ、２Ｔｓ、３Ｔｍ、３Ｔｓ、３Ｔｍ、３Ｔｓ、３Ｔｍ、２Ｔｓの順序で記録された場合と、第２実施形態で３Ｔｓ、３Ｔｍ、２Ｔｓ、３Ｔｍ、３Ｔｓ、３Ｔｍ、２Ｔｓ、３Ｔｍ、３Ｔｓ、３Ｔｍ、２Ｔｓ、３Ｔｍ、３Ｔｓの順序で記録された場合、第１及び第２実施形態双方のデジタル合計成分ＤＳＶが‘０’になる。しかし、第２実施形態のように記録区間の最終部分に相対的に長いピット長さ、すなわち３Ｔ長さのスペース３Ｔｓを有すると、レベル遷移点でのプッシュプル信号がより正確に検出される。
【００５７】
参考までに、‘３６Ｔ’記録区間に３Ｔ長さのスペース３Ｔｓまたはマーク３Ｔｍを６個、そして２Ｔ長さのスペース２Ｔｓまたはマーク２Ｔｍを９個記録する場合、スペースとマークまたはマークとスペースを２Ｔｓ、２Ｔｍ、２Ｔｓ、３Ｔｍ、３Ｔｓ、３Ｔｍ、２Ｔｓ、２Ｔｍ、２Ｔｓ、３Ｔｍ、３Ｔｓ、３Ｔｍ、２Ｔｓ、２Ｔｍ、２Ｔｓの順序で形成することが望ましい。
【００５８】
また、‘１８Ｔ’記録区間に３Ｔ長さのスペース３Ｔｓまたはマーク３Ｔｍを４個そして２Ｔ長さのスペース２Ｔｓまたはマーク２Ｔｍを３個記録する場合、スペースとマークまたはマークとスペースを２Ｔｓ、３Ｔｍ、３Ｔｓ、２Ｔｍ、３Ｔｓ、３Ｔｍ、２Ｔｓの順序で形成することが望ましい。
【００５９】
レベル遷移点を、スペースの中心を基準にしてレベル遷移が起こるように設定することができ、この場合にもマークとスペースまたはスペースとマークの合計は奇数個が維持される。
【００６０】
ＢＤ−ＲＯＭのリードイン領域のうちＰＩＣ領域に永久に記録されるディスクの主要情報を正確にデコードするためには、ＰＩＣ領域に反復形成されるウォーブル形状のスペースとマークまたはマークとスペースでのプッシュプル信号が切断されずに連続的に検出されなければならない。これについて図１２ないし図１５を参照しながら詳細に説明する。
【００６１】
前で説明したように、再生専用ブルーレイディスク（ＢＤ−ＲＯＭ）にはバイフェーズ変調を基礎にするＨＦＭグルーブの記録パターンを有するピット列が形成されたＰＩＣ領域が含まれる。ＰＩＣ領域にはピット列形状でディスクの主要情報が記録される。バイフェーズ変調を基礎にするＨＦＭグルーブのレベル遷移またはレベル遷移点はスペースの中央を基準にして成り立つ。
【００６２】
‘３６Ｔ’の記録区間内に同一の位相のＨＦＭグルーブが形成されている場合その値は‘０’になり、‘３６Ｔ’の記録区間内に異なる位相のＨＦＭグルーブが形成されている場合その値は‘１’になる。
【００６３】
例えば図１２に示したように、バイフェーズ変調を基礎にするＨＦＭグルーブのレベル遷移またはレベル遷移点はスペースの中央を基準にして成り立つ。データ値‘１’（Ｄａｔａ  １）に該当する‘３６Ｔ’記録区間で、ハイレベルの‘１８Ｔ’記録区間には３Ｔ長さのマーク３Ｔｍとスペース３Ｔｓが反復形成され、ローレベルの‘１８Ｔ’記録区間にも３Ｔ長さのマーク３Ｔｍとスペース３Ｔｓが反復形成される。
【００６４】
同様に、データ値‘０’（Ｄａｔａ  ０）に該当するハイレベルの‘３６Ｔ’記録区間には３Ｔ長さのマーク３Ｔｍとスペース３Ｔｓが次々と反復形成され、データ値‘０’（Ｄａｔａ  ０）に該当するローレベルの‘３６Ｔ’記録区間にも３Ｔ長さのマーク３Ｔｍとスペース３Ｔｓが反復形成される。
【００６５】
図１３に示したように、バイフェーズ変調を基礎にするＨＦＭグルーブのレベル遷移またはレベル遷移点がスペースの中央を基準にして成り立つため、そのレベル遷移点はプッシュプル信号のゼロクロッシングポイントと一致する。したがって、プッシュプル信号のゼロクロッシングポイントを基準にしてデータ値を正確に検出することができる。
【００６６】
スペースとマークは最小２Ｔまたは３Ｔ以上に形成されるが、図１２に示したように、レベル遷移点を基準にして同一の長さのマークを左右対称に形成すると、プッシュプル信号をスライスすることで復元したデータ値をさらに正確に検出することができる。
【００６７】
一方、マークとスペースの長さが５Ｔ長さ以上になる場合、マークとスペースに対するプッシュプル信号のレベルが大きくなり、レベル遷移点を誤って検出するようになることもあので、これを防止するためにマークとスペースの長さを２Ｔ、３Ｔ、４Ｔに制限する必要がある。また正確なサーボ動作のために、ＤＳＶが零または最小になるようにするマークとスペースの組合せを選択して形成する必要がある。
【００６８】
例えば、図１４に示したように、２Ｔ、３Ｔ、４Ｔのマークとスペースを組み合わせてピット列を形成すると同時に、ピット列のＤＳＶが零または最小になるようにマークとスペースの組合せを選択する。
【００６９】
また、ＲＦ信号を正常に検出することができるように最小記録大きさである２Ｔのマークとスペースを最大６回まで繰り返すことができるように制限しているＢＤ−ＲＥの１７ＰＰ（Ｐａｒｉｔｙ  Ｐｒｅｓｅｒｖｅ）変調コードと‘Ｐｒｏｈｉｂｉｔ  ＲＭＴＲ（Ｒｕｎ  Ｌｉｍｉｔｅｄ  Ｔｒａｎｓｉｔｉｏｎ）’条件を満足させるために、２Ｔのマークとスペースが７回以上連続しないようにする。
【００７０】
そして、レベル遷移が起こるスペースの長さが短いほどそれによるプッシュプル信号のレベル遷移波形がシャープになるので、スペースの長さを可能な限り４Ｔ以内に制限する。
【００７１】
一方、レベル遷移が起こるスペースの中央を基準にして同じ長さのマークを左右対称で形成するが、光ディスクに形成されるレーザービームスポットの直径サイズを考慮してマーク長さを決定する。例えばＢＤ−ＲＥに使われるレーザービームの波長と対物レンズの開口数（ＮＡ）がそれぞれ４００ｎｍと０．８５である場合、光ディスクに形成されるビームスポットの直径は約５８０ｎｍ（＝１．２２×（４００ｎｍ×０．８５））になり、ビームスポットの有効直径は約４５０ｎｍになる。
【００７２】
１Ｔが８０ｎｍである時、ビームスポットの有効直径に該当する４５０ｎｍは約６Ｔである。したがって、図１５に示したように、レベル遷移が起こるスペースと左右対称であるマークの長さの合計が６Ｔになるようにする。
【００７３】
一方、レベル遷移点であるスペースと左右対称であるマークの長さの合計は６Ｔより大きい。しかし、レベル遷移点であるスペースに対して、左右対称であるマークとスペースの長さの合計がビームスポットの有効直径より小さかったりまたはマークが非対称である場合、プッシュプル信号にオフセットが発生するのでジッタ特性が大幅に低下する。
【００７４】
したがって、本発明により、複数のトラッキングサーボを制御するための複雑なアルゴリズムを単純化でき、装置の大型化を效率的に防止することができ、プリピットを利用したＰＬＬ動作がリードイン領域から他の領域に実行できて再生基準クロックを速かに安定化させることができる。
【００７５】
以上前述した本発明の望ましい実施形態は例示の目的のために掲示されたのであって、特にプッシュプル方式のトラッキングサーボとＤＰＤ方式のトラッキングサーボは既に広く知られた公知の技術で当業者ならば本発明の実施形態を参照にして容易に実施でき、添付された特許請求範囲に開示された本発明の技術的思想とその技術的範囲内で、多様な他の実施形態を改良、変更、代替または付加などが可能である。
【図面の簡単な説明】
【００７６】
【図１】一般的な高密度再記録可能光ディスク（ＢＤ−ＲＥ）の構造を示したものである。
【図２】一般的な高密度再記録可能光ディスクのリードイン領域に形成されたＨＦＭグルーブの形状を示したものである。
【図３】一般的な高密度再記録可能光ディスクに対する装置に適用されるプッシュプル方式のトラッキングサーボに対する構成を示したものである。
【図４】一般的な高密度再生専用光ディスク（ＢＤ−ＲＯＭ）の構造を示したものである。
【図５】一般的な光ディスク装置に適用されるＤＰＤ方式のトラッキングサーボに対する構成を示したものである。
【図６】本発明の一実施形態による高密度再生専用光ディスク（ＢＤ−ＲＯＭ）の構造を示したものである。
【図７】本発明による高密度再生専用光ディスク（ＢＤ−ＲＯＭ）のリードイン領域に形成されるプリピット（Ｐｒｅ−Ｐｉｔ）列の形状を示したものである。
【図８】本発明による光ディスク装置及び方法に適用されるプッシュプル方式及びＤＰＤ方式のトラッキングサーボに対する構成を示したものである。
【図９】本発明の一実施形態による高密度再生専用光ディスク（ＢＤ−ＲＯＭ）のＰＩＣ領域にスペースとマークがウォーブル形状で形成されたことを示したものである。
【図１０】本発明の一実施形態による高密度再生専用光ディスクのＰＩＣ領域にスペースとマークがウォーブル形状で形成されたことを示したものである。
【図１１】本発明の位置実施形態による高密度再生専用光ディスクのＰＩＣ領域にスペースとマークがウォーブル形状で形成されたことを示したものである。
【図１２】本発明の他の実施形態による高密度再生専用光ディスク（ＢＤ−ＲＯＭ）のＰＩＣ領域にスペースとマークがウォーブル形状で形成されたことを示したものである。
【図１３】本発明の他の実施形態による高密度再生専用光ディスクのＰＩＣ領域にスペースとマークがウォーブル形状で形成されたことを示したものである。
【図１４】本発明の他の実施形態による高密度再生専用光ディスクのＰＩＣ領域にスペースとマークがウォーブル形状で形成されたことを示したものである。
【図１５】本発明の他の実施形態による高密度再生専用光ディスクのＰＩＣ領域にスペースとマークがウォーブル形状で形成されたことを示したものである。
【図１】
2005310375.tif 000003
【図２】
2005310375.tif 000004
【図３】
2005310375.tif 000005
【図４】
2005310375.tif 000006
【図５】
2005310375.tif 000007
【図６】
2005310375.tif 000008
【図７】
2005310375.tif 000009
【図８】
2005310375.tif 000010
【図９】
2005310375.tif 000011
【図１０】
2005310375.tif 000012
【図１１】
2005310375.tif 000013
【図１２】
2005310375.tif 000014
【図１３】
2005310375.tif 000015
【図１４】
2005310375.tif 000016
【図１５】
2005310375.tif 000017